(57)【特許請求の範囲】
【請求項１】
ＩｎＳＩＭチップ起動コマンドを受信するように構成されたセキュアデジタル入力／出力（ＳＤＩＯ）ポートと、
前記ＳＤＩＯポートを介して前記ＩｎＳＩＭチップ起動コマンドを受信し、前記ＩｎＳＩＭチップ起動コマンドを受信した後に、前記ＩｎＳＩＭチップ起動コマンドに従って前記ＳＤＩＯポートとＩｎＳＩＭチップとの間の接続を構築し、且つ前記ＩｎＳＩＭチップとマスターチップとの間の接続を終了するように構成された接続コントローラと、
前記ＳＤＩＯポートと前記ＩｎＳＩＭチップとの間の前記接続を介して起動情報を取得するように構成された前記ＩｎＳＩＭチップと、
を有する移動端末。
【請求項２】
前記接続コントローラは更に、前記ＩｎＳＩＭチップが前記ＩｎＳＩＭチップと前記ＳＤＩＯポートとの間の前記接続を介して前記起動情報を取得した後に、前記ＳＤＩＯポートを介してＩｎＳＩＭチップ起動終了コマンドを受信し、該ＩｎＳＩＭチップ起動終了コマンドに従って前記ＩｎＳＩＭチップと前記ＳＤＩＯポートとの間の前記接続を遮断し、且つ前記ＩｎＳＩＭチップと前記マスターチップとの間の接続を構築するように構成される、請求項１に記載の移動端末。
【請求項３】
前記接続コントローラはブリッジチップである、請求項１又は２に記載の移動端末。
【請求項４】
前記接続コントローラはスイッチを有し、該スイッチは、ＩｎＳＩＭ信号の流れ方向を制御することによって前記ＳＤＩＯポートと前記マスターチップとの間の接続を構築あるいは終了するように構成され、且つ更に、ＳＤＩＯ信号の流れ方向を制御することによって前記ＳＤＩＯポートと前記ＩｎＳＩＭチップとの間の接続を構築あるいは終了するように構成される、請求項１又は２に記載の移動端末。
【請求項５】
前記スイッチは、単極双投スイッチ、単チップスイッチ、又はフィールドプログラマブルゲートアレイ（ＦＰＧＡ）スイッチである、請求項４に記載の移動端末。
【請求項６】
当該移動端末は、セキュアデジタル（ＳＤ）カードの形態をした無線ＷＡＮカードである、請求項１乃至５の何れか一項に記載の移動端末。
【請求項７】
移動端末内のＩｎＳＩＭチップをアクティブにする方法であって、前記移動端末は少なくともセキュアデジタル入力／出力（ＳＤＩＯ）ポートを有し、当該方法は、
前記移動端末により、前記ＳＤＩＯポートを介してＩｎＳＩＭチップ起動コマンドを受信することと、
前記移動端末により、前記ＩｎＳＩＭチップ起動コマンドに従って前記ＳＤＩＯポートと前記ＩｎＳＩＭチップとの間の接続を構築し且つ前記ＩｎＳＩＭチップとマスターチップとの間の接続を終了して、前記ＩｎＳＩＭチップが前記ＳＤＩＯポートと前記ＩｎＳＩＭチップとの間の前記接続を介して起動情報を取得することを可能にすることと
を有する、方法。
【請求項８】
前記ＩｎＳＩＭチップが前記起動情報を取得した後に、
前記移動端末により、前記ＳＤＩＯポートを介してＩｎＳＩＭチップ起動終了コマンドを受信することと、
前記移動端末により、前記ＩｎＳＩＭチップ起動終了コマンドに従って前記ＩｎＳＩＭチップと前記ＳＤＩＯポートとの間の前記接続を終了し、且つ前記ＩｎＳＩＭチップと前記マスターチップとの間の接続を構築することと、
を更に有する請求項７に記載の方法。
【発明の詳細な説明】
【技術分野】
【０００１】
本発明は、無線通信の分野に関し、特に、移動端末内のＩｎＳＩＭチップをアクティブにする方法、及び移動端末に関する。
【背景技術】
【０００２】
ＩｎＳＩＭチップは、代替となるＳＩＭソリューションである。例えば移動電話又は無線ＷＡＮカードなどの移動（モバイル）端末の内部にＩｎＳＩＭチップを接合することにより、従来のＳＩＭカードの機能を完全に実装することができるとともに、移動端末の大きさを効果的に縮小することができる。ＩｎＳＩＭチップは移動端末から分離することができず、故に、ＩｎＳＩＭチップは販売使用時にのみ移動端末に結び付けられることができる。
【０００３】
現行では、ＩｎＳＩＭチップを採用する移動端末が販売されるとき、ＩｎＳＩＭチップが起動され（アクティブにされ）、起動（アクティベーション）情報が該ＩｎＳＩＭチップに書き込まれる。起動中、ＩｎＳＩＭチップのピンを移動端末の表面まで導き出す必要があり、また、追加のテストポイントを設定する必要がある。ＩｎＳＩＭチップの起動は、この追加のテストポイントを用いることによって行われるが、追加のテストポイントの設定は、移動端末の大きさの制御に資するものではない。
【発明の概要】
【発明が解決しようとする課題】
【０００４】
本発明の実施形態は、ＩｎＳＩＭチップをアクティブにするために追加のテストポイントを設定する必要があるという問題を解決するような、移動端末内のＩｎＳＩＭチップをアクティブにする方法、及び移動端末を提供する。
【課題を解決するための手段】
【０００５】
一態様において、本発明の一実施形態により、
ＩｎＳＩＭチップ起動コマンドを受信するように構成されたセキュアデジタル入力／出力（ＳＤＩＯ）ポートと、
前記ＳＤＩＯポートを介して前記ＩｎＳＩＭチップ起動コマンドを受信し、且つ前記ＩｎＳＩＭチップ起動コマンドに従って前記ＳＤＩＯポートとＩｎＳＩＭチップとの間の接続を構築するように構成された接続コントローラと、
前記接続を介して起動情報を取得するように構成された前記ＩｎＳＩＭチップと、
を有する移動端末が提供される。
【０００６】
他の一態様において、本発明の一実施形態により更に、移動端末内のＩｎＳＩＭチップをアクティブにする方法であって、前記移動端末は少なくともセキュアデジタル入力／出力（ＳＤＩＯ）ポートを有し、当該方法は、
前記移動端末により、前記ＳＤＩＯポートを介してＩｎＳＩＭチップ起動コマンドを受信することと、
前記移動端末により、前記ＩｎＳＩＭチップ起動コマンドに従って前記ＳＤＩＯポートと前記ＩｎＳＩＭチップとの間の接続を構築して、前記ＩｎＳＩＭチップが該接続を介して起動情報を取得することを可能にすることと
を有する、方法が提供される。
【発明の効果】
【０００７】
本発明の実施形態は、以下の有利な効果をもたらし得る。本発明の実施形態によって提供される方法及び移動端末においては、移動端末上の既存のＳＤＩＯポートを用いることによってＩｎＳＩＭチップがアクティブにされる。この起動方法は、追加のテストポイントを必要とせず、移動端末のサイズを増大させず、また、静電放電保護に資するものである。
【図面の簡単な説明】
【０００８】
以下では更に、添付の図面を参照して本発明の具体的な実施形態を詳細に説明する。添付の図面は以下を含んでいる。
【図１】本発明の一実施形態によって提供される移動端末の構成を模式的に示す図である。
【図２Ａ】本発明の一実施形態によって提供されるＳＤカードの形態の無線ＷＡＮカードの構成を模式的に示す図である。
【図２Ｂ】本発明の一実施形態によって提供されるＳＤカードの形態の無線ＷＡＮカードの他の構成を模式的に示す図である。
【図３】本発明の一実施形態によって提供される移動端末内のＩｎＳＩＭチップをアクティブにする方法を模式的に示すフローチャートである。
【図４】本発明の一実施形態によって提供される移動端末内のＩｎＳＩＭチップをアクティブにする他の方法を模式的に示すフローチャートである。
【発明を実施するための形態】
【０００９】
本発明の実施形態は、ＩｎＳＩＭチップをアクティブにするために追加のテストポイントを設定する必要があるという従来技術における問題を解決するような、移動端末内のＩｎＳＩＭチップをアクティブにする方法、及び移動端末を提供する。
【００１０】
なお、本発明の実施形態にて記述される移動端末は、例えば無線ＷＡＮカード、移動電話、又はタブレットなど、ＩｎＳＩＭチップを組み込んだ移動（モバイル）端末とし得る。本発明の一部の実施形態において、ＳＤカードの形態をした無線ＷＡＮカードが説明のための一例として用いられるが、本発明はそれに限定されるものではない。
【００１１】
以下、本発明の実施形態の範囲内の添付図面を参照して、本発明の実施形態における技術的ソリューションを明確且つ十分に説明する。明らかなように、記載される実施形態は、本発明の実施形態の全てではなく一部に過ぎない。本発明のこれらの実施形態に基づいて当業者が創作努力なく得ることができるその他の実施形態も全て、本発明の保護範囲に入るべきものである。
【００１２】
図１を参照するに、本発明の一実施形態は、ＩｎＳＩＭチップ起動（アクティベーション）コマンドを受信するように構成されたＳＤＩＯポート１０１を含んだ移動端末を提供し、当該移動端末は、そのＳＤＩＯポートを介して、ＳＤＩＯ通信をサポートするコンピュータ又は他の外部装置に接続し得る。この接続は、ＳＤＩＯ−ＵＳＢ変換デバイスを用いて実現されてもよい。当該移動端末は、ＳＤＩＯポートを介してＩｎＳＩＭチップ起動コマンドを受信し且つ該ＩｎＳＩＭチップ起動コマンドに従ってＳＤＩＯポートとＩｎＳＩＭチップとの間の接続を構築するように構成された接続コントローラ１０２と、該接続を介して起動情報を受信するように構成されたＩｎＳＩＭチップ１０３とを含む。
【００１３】
ＩｎＳＩＭチップは、例えばコンピュータなどの外部装置から上記接続を介して起動情報を取得し、ＳＩＭ（加入者識別モジュール）カードの機能を実行する。なお、ＩｎＳＩＭチップ起動コマンドが既に起動情報を含んでいる場合、ＩｎＳＩＭチップは、ＩｎＳＩＭチップ起動コマンドから起動情報を直接的に抽出することができる。起動情報は、国際移動電話加入者識別番号（international  mobile  subscriber  identity；ＩＭＳＩ）、ＩＭＳＩに対応する固有のカスタマー認証鍵であるＫｉ、ショートメッセージセンター番号、及びＯＴＡ（オーバー・ザ・エア・テクノロジ）係数を含み得る。
【００１４】
本発明の実施形態において、接続コントローラ１０２は、既存のＳＤＩＯポート１０１を用いてＩｎＳＩＭチップ起動コマンドを受信し、ＩｎＳＩＭチップ起動コマンドに従ってＳＤＩＯポート１０１とＩｎＳＩＭチップ１０３との間の接続を構築することで、ＩｎＳＩＭチップが該接続を介して起動情報を取得してＩｎＳＩＭチップ起動を完了することを可能にする。この起動方法は、追加のテストポイントを必要とせず、移動端末のサイズを増大させず、また、静電放電保護に資する。
【００１５】
本発明の一実施形態に係るソリューションを更に詳細に説明するため、ＳＤカードの形態をした９個のＳＤＩＯポートピンを含む無線ＷＡＮカードを一例として用いる。図２Ａ及び図２Ｂを参照するに、図２Ａは、ＩｎＳＩＭチップ起動プロセスにおける、ＳＤカードの形態の無線ＷＡＮカードの構成を模式的に示しており、図２Ｂは、通常使用での、ＳＤカードの形態の無線ＷＡＮカードの他の構成を模式的に示している。
【００１６】
場合により、ＳＤカードの形態の無線ＷＡＮカードは、マスターチップ１０４を更に含み得る。マスターチップ１０４は更にベースバンドユニット１０５及び無線周波数ユニット１０６を含むことができ、ベースバンドユニット１０５は、無線通信信号を処理するように構成され、無線周波数ユニット１０６は、無線アナログ信号の受信及び送信を行うとともに、アナログ信号とデジタル信号との間の変換を完了するように構成される。ここでもやはり細部は説明しない。
【００１７】
図２Ｂを参照するに、ＳＤカードの形態の無線ＷＡＮカードが適正に動作しているとき、接続コントローラ１０２を用いることにより、マスターチップ１０４がＩｎＳＩＭチップ１０３に接続される。具体的には、接続コントローラ１０２を用いることによって、ベースバンドユニット１０５がＩｎＳＩＭチップ１０３に接続されるとともに、ＩｎＳＩＭチップ１０３がＳＤＩＯポート１０１から切断される。
【００１８】
場合により、ＩｎＳＩＭカードチップの起動中に起こり得る信号干渉を防止し、また、電力を更に低減するため、接続コントローラ１０２は、接続コントローラ１０２がＳＤＩＯポート１０１を介してＩｎＳＩＭチップ起動コマンドを受信した後に、ＩｎＳＩＭチップ１０３とマスターチップ１０４との間の接続を終了してもよい。
【００１９】
場合により、ＩｎＳＩＭチップが接続を介して起動情報を取得した後に、接続コントローラ１０２は、ＳＤＩＯポートを介してＩｎＳＩＭチップ起動終了コマンドを受信し、該ＩｎＳＩＭチップ起動終了コマンドに従って、ＩｎＳＩＭチップとＳＤＩＯポートとの間の通信リンクを遮断し且つＩｎＳＩＭチップとマスターチップとの間の接続を構築することで、ＳＤカードの形態の無線ＷＡＮカードが適正に稼働することを可能にする。
【００２０】
また、接続コントローラ１０２は具体的にブリッジチップとしてもよく、これは移動端末のサイズを縮小する更なる助けとなる。接続コントローラは具体的にはスイッチを含むことができ、該スイッチは、ＩｎＳＩＭ信号の流れ方向を制御することによってＳＤＩＯポート１０１とマスターチップ１０４との間の接続を構築あるいは終了するように構成され、且つＳＤＩＯ信号の流れ方向を制御することによってＳＤＩＯポートとＩｎＳＩＭチップとの間の接続を構築あるいは終了するように構成され得る。
【００２１】
このスイッチは具体的にはハードウェアスイッチとすることができ、また、例えば単極双投スイッチ、単チップスイッチ、又はＦＰＧＡ（フィールドプログラマブルゲートアレイ）スイッチなどのソフトウェアシミュレーション形態のスイッチであってもよい。一般的なＦＰＧＡスイッチは、組み合わせ論理を例えば小さいルックアップテーブル（１６×１ＲＡＭ）などの対応するプログラミング設定とともに実装することによって、スイッチ機能を実現する。
【００２２】
本発明の実施形態においては、ＳＤＩＯポートとＩｎＳＩＭチップとの間の接続を構築するために、スイッチを含んだ接続コントローラ１０２が用いられ、それにより、該接続を介してＩｎＳＩＭチップ起動が完了される。これは、追加のテストポイントを必要とせず、移動端末のサイズを増大させず、また、静電放電保護に資するものである。さらに、ＩｎＳＩＭチップとマスターチップとの間の接続が、起動中に終了され、起動の完了後に回復されるが、これは、ＩｎＳＩＭカードの起動中に起こり得る信号干渉を防止するとともに、電力を更に節減するものである。
【００２３】
図３を参照するに、本発明の一実施形態により更に、移動端末がＳＤＩＯポートを介してＩｎＳＩＭチップ起動コマンドを受信するステップ３０１を含む移動端末内のＩｎＳＩＭチップをアクティブにする方法が提供される。
【００２４】
移動端末は、そのＳＤＩＯポートを介して、ＳＤＩＯ通信をサポートするコンピュータ又は他の外部装置に接続し得る。この接続は、ＳＤＩＯ−ＵＳＢ変換デバイスを用いて実現されてもよい。
【００２５】
当該方法は、移動端末がＩｎＳＩＭ起動コマンドに従ってＳＤＩＯポートとＩｎＳＩＭチップとの間の接続を構築することで、ＩｎＳＩＭチップが該接続を介して起動情報を取得することを可能にするステップ３０２を含む。
【００２６】
具体的には、ＩｎＳＩＭチップは、例えばコンピュータなどの外部装置から上記接続を介して起動情報を取得し、該起動情報に従って起動を完了し、ＳＩＭ（加入者識別モジュール）カードの機能を実行する。なお、ＩｎＳＩＭチップ起動コマンドが既に起動情報を含んでいる場合、ＩｎＳＩＭチップは、ＩｎＳＩＭチップ起動コマンドから起動情報を直接的に抽出することができる。起動情報は、国際移動電話加入者識別番号（ＩＭＳＩ）、ＩＭＳＩに対応する固有のカスタマー認証鍵であるＫｉ、ショートメッセージセンター番号、及びＯＴＡ（オーバー・ザ・エア・テクノロジ）係数を含み得る。
【００２７】
本発明の実施形態において、ＩｎＳＩＭチップは移動端末のＳＤＩＯポートを介してアクティブにされ、これは、移動端末の外装上に追加のＩｎＳＩＭチップテストポイントを必要とせず、移動端末のサイズを増大させず、また、静電放電保護に資する。
【００２８】
図４を参照して、本発明の一実施形態に係るソリューションを更に詳細に説明する。
【００２９】
場合により、移動端末は更にマスターチップを含み、該マスターチップは、移動端末がＩｎＳＩＭチップ起動コマンドを受信する前にはＩｎＳＩＭチップに接続されており、移動端末がＳＤＩＯポートを介してＩｎＳＩＭチップ起動コマンドを受信した後、上記方法は更に、移動端末がＩｎＳＩＭチップとマスターチップとの間の接続を終了し、それにより、ＩｎＳＩＭカード起動中に起こり得る信号干渉を防止するとともに電力を更に低減するステップ３０３を含む。
【００３０】
場合により、ＩｎＳＩＭチップが接続を介して起動情報を取得した後に、上記方法は更に、移動端末がＳＤＩＯポートを介してＩｎＳＩＭチップ起動終了コマンドを受信するステップ３０４と、移動端末が、ＩｎＳＩＭチップ起動終了コマンドに従って、ＩｎＳＩＭチップとＳＤＩＯポートとの間の接続を終了し、且つＩｎＳＩＭチップとマスターチップとの間の接続を構築することで、ＳＤカードの形態の無線ＷＡＮカードが適正に稼働するステップ３０５とを含む。
【００３１】
本発明の実施形態においては、ＳＤＩＯポートとＩｎＳＩＭチップとの間の接続が構築されて、該接続を介してＩｎＳＩＭチップ起動が完了されるようにされ、これは、追加のテストポイントを必要とせず、移動端末のサイズを増大させず、また、静電放電保護に資するものである。さらに、ＩｎＳＩＭチップとマスターチップとの間の接続が、起動中に終了され、起動の完了後に回復されるが、これは、ＩｎＳＩＭカードの起動中に起こり得る信号干渉を防止するとともに、電力を更に節減するものである。
【００３２】
なお、実施形態におけるＩｎＳＩＭチップの具体的な適用シナリオはＩｎＳＩＭチップが移動端末内に配置されるものであるが、これはＩｎＳＩＭチップの具体的用途についての限定として解釈されるべきでない。他の適用シナリオにおいては、本発明の実施形態においてＩｎＳＩＭチップをアクティブにすることのソリューションは、その端末がＳＤＩＯポート接続をサポートする限り、他の形態の端末にも適用可能である。
【００３３】
当業者がはっきり理解し得るように、説明の便宜及び簡潔さのため、上述の方法の実施形態では、先行する装置の実施形態における対応する移動端末の動作プロセスを参照しており、細部を再度説明するようなことはしていない。
【００３４】
本明細書に提示される幾つかの実施形態において、理解されるように、開示された装置は他の手法で実装されてもよい。例えば、記載された装置の実施形態は単なる例示である。例えば、ユニット分けは単なる論理機能上の分割であり、実際の実装では異なるように分けられてもよい。例えば、複数のユニット又はコンポーネントが他のシステムへと結合あるいは一体化されてもよいし、一部の機構が無視されたり実行されなかったりしてもよい。また、図示あるいは説明された相互結合又は直接的な結合若しくは通信接続は、何らかのインタフェースを介して実現されてもよい。装置間又はユニット間の間接的な結合若しくは通信接続は、電子的形態、機械的形態、又はその他の形態で実現され得る。別々の部分として記載されたユニットは、物理的に分離していてもいなくてもよく、また、ユニットとして示された部分は、物理的なユニットであってもなくてもよいし、１つの位置に配置されてもよいし、複数のネットワークユニットに分散されてもよい。これらのユニットのうちの一部又は全てが、実施形態に係るソリューションの目的を達成するように実際のニーズに従って選択され得る。
【００３５】
また、本発明の実施形態における複数の機能ユニット及び機能デバイスが１つの処理ユニットへと集積されてもよく、あるいは、各ユニットが物理的に単独で存在してもよいし、２つ以上のユニットが１つのユニットに集積されてもよい。集積されたユニットは、ハードウェアの形態で実装されてもよいし、ソフトウェア機能ユニットの形態で実装されてもよい。
【００３６】
集積されたユニットがソフトウェア機能ユニットの形態で実装されて、独立した製品として販売あるいは使用されるとき、その集積ユニットはコンピュータ読み取り可能記憶媒体に格納され得る。このような理解に基づき、本発明に係る技術的ソリューション、従来技術に対する貢献を与える部分、又は、技術的ソリューションのうちの全て若しくは一部は、ソフトウェアプロダクトの形態で実現されてもよい。ソフトウェアプロダクトは、記憶媒体に格納され、本発明の実施形態にて説明された方法ステップの全て又は一部を実行するようにコンピュータ装置（パーソナルコンピュータ、サーバ、又はネットワーク装置とし得る）に命令する幾つかの命令を含む。この記憶媒体は、例えば、ＵＳＢフラッシュドライブ、脱着可能なハードディスク、読み出し専用メモリ（ＲＯＭ）、ランダムアクセスメモリ（ＲＡＭ）、磁気ディスク、又は光ディスクなど、プログラムコードを保存することが可能な如何なる媒体をも含み得る。
【００３７】
以上の具体的な実施形態は更に、本発明に係る目的、技術的ソリューション、及び有利な効果を説明している。理解されるように、以上の説明は、単なる本発明の具体的な実施形態であり、本発明の保護範囲を限定することを意図したものではない。本発明の原理の範囲内で為される如何なる変更、均等な置き換え、及び改良も、本発明の保護範囲の範囲に入るものである。
【図１】
0005894673.tif 000002
【図２Ａ】
0005894673.tif 000003
【図２Ｂ】
0005894673.tif 000004
【図３】
0005894673.tif 000005
【図４】
0005894673.tif 000006